(57)【要約】【課題】排気ファンの送風力に見合った排気効率で、しかも風切り音を発生させること無く、プロジェクタケース内を効果的に空冷することができるプロジェクタを提供する。【解決手段】吸気部５６，５７と複数の排気孔６２ａが配列した排気部６０とを有するプロジェクタケース１内に、光源１７と、入射光の出射を制御して画像を表示する表示素子２８と、光源１７からの出射光を表示素子２８に入射させる光学系２９と、表示素子２８からの出射光を投影面に投影する投影レンズ４５とを設け、且つ、前記排気部６０を、プロジェクタケース１に形成された開口部６４に、プロジェクタケース１外に突き出し可能に設けた。【選択図】図３
2005234424.tif 000002
【特許請求の範囲】
【請求項１】
吸気部と複数の排気孔が配列した排気部とを有するプロジェクタケース内に、光源と、入射光の出射を制御して画像を表示する表示素子と、前記光源からの出射光を前記表示素子に入射させる光学系と、前記表示素子からの出射光をプロジェクタケース外に投影する投影レンズと、前記排気部に対向させてその近傍に配置された排気ファンとが設けられ、且つ、前記排気部が、前記プロジェクタケースに形成された開口部に、前記プロジェクタケース外に突き出し可能に設けられていることを特徴とするプロジェクタ。
【請求項２】
排気部は、そのプロジェクタケース外への突き出しストロークよりも大きい長さを有し、前記プロジェクタケースの開口部にケース内外方向に移動可能に嵌装された排気筒と、複数の排気孔が形成され、前記排気筒のケース外側の開口端に設けられた排気パネルとからなっていることを特徴とする請求項１に記載のプロジェクタ。
【請求項３】
電源オン時にプロジェクタケース外への排気部の突き出しを検知して光源の点灯及び排気ファンの駆動を開始し、前記排気部の突き出しを検知しないときは、前記光源の点灯及び排気ファンの駆動を開始せずに、使用者に対し前記排気部の突き出しを指示する保安手段を備えたことをことを特徴とする請求項１に記載のプロジェクタ。
【請求項４】
保安手段は、光源の点灯及び排気ファンの駆動中に排気部の突き出しを検知しなくなったときには、前記光源の点灯及び排気ファンの駆動を継続したまま、使用者に対し前記排気部の突き出しを指示することを特徴とする請求項３に記載のプロジェクタ。
【請求項５】
表示素子は、プロジェクタケース内の一側部に配置され、光源は、前記プロジェクタケース内の他側部に配置されており、排気部は、前記プロジェクタケースの前記光源が配置された側の側面に設けられ、吸気部は、前記プロジェクタケースの他の面に設けられていることを特徴とする請求項１に記載のプロジェクタ。
【請求項６】
排気パネルに形成された複数の排気孔の周面及びその両側縁と排気パネルの内面及び外面との境界部が、排気流方向に対して垂直またはそれに近い角度の面の無い形状に形成されていることを特徴とする請求項１に記載のプロジェクタ。
【請求項７】
排気孔の周面は、その奥行き方向の中央部から排気パネルの内面及び外面に向かって孔幅が大きくなる方向に湾曲または傾斜する形状に形成されていることを特徴とする請求項６に記載のプロジェクタ。
【請求項８】
排気孔は長孔からなっており、その周面のうち、前記排気孔の長さ方向に沿った２つの面がそれぞれ、前記排気パネルの内面側から外面側に向かって前記排気孔の長さ方向と直交する一方の方向に傾斜する形状に形成されていることを特徴とする請求項６または７に記載のプロジェクタ。
【請求項９】
排気パネルは、プロジェクタケースの開口部に移動可能に嵌装された排気筒のケース外側の開口端に、脱着可能に、且つ排気孔の長さ方向と直交する方向の両側縁の向きを逆にして着脱可能に設けられていることを特徴とする請求項８に記載のプロジェクタ。
【発明の詳細な説明】
【技術分野】
【０００１】
この発明は、表示素子を備え、その表示画像を外部に投影するプロジェクタに関する。
【背景技術】
【０００２】
表示素子を備え、その表示画像を投影するプロジェクタは、プロジェクタケース内に、光源と、入射光の出射を制御して画像を表示する表示素子と、前記光源からの出射光を前記表示素子に入射させる光学系と、前記表示素子からの出射光をプロジェクタケース外に投影する投影レンズとを設けた構成となっている。
【０００３】
このプロジェクタは、前記光源の発熱温度が非常に高いため、プロジェクタケースに吸気部と排気部を設け、前記プロジェクタケース内の前記排気部の近傍に、前記排気部に対向させて排気ファンを配置することにより、前記プロジェクタケース内を強制的に空冷するようにしている（特許文献１参照）。
【特許文献１】特開平８―３１４０１１号公報
【発明の開示】
【発明が解決しようとする課題】
【０００４】
しかし、従来のプロジェクタは、排気ファンによる排気流の断面内の風圧分布にムラがあり、プロジェクタケース内に前記プロジェクタケースの排気部に対向させてその近傍に配置された前記排気ファンによる排気流が、前記排気部に部分的に強い風圧で当たってその部分の排気孔からの排気流に渦が生じるため、前記排気ファンの送風力に見合った排気効率が得られなくなるだけでなく、大きな風切り音を発生する。
【０００５】
この発明は、プロジェクタケース内を排気ファンの送風力に見合った排気効率で効果的に空冷するとともに、排気部での風切り音を低減させることができるプロジェクタを提供することを目的としたものである。
【課題を解決するための手段】
【０００６】
この発明のプロジェクタは、吸気部と複数の排気孔が配列した排気部とを有するプロジェクタケース内に、光源と、入射光の出射を制御して画像を表示する表示素子と、前記光源からの出射光を前記表示素子に入射させる光学系と、前記表示素子からの出射光をプロジェクタケース外に投影する投影レンズと、前記排気部に対向させてその近傍に配置された排気ファンとが設けられ、且つ、前記排気部が、前記プロジェクタケースに形成された開口部に、前記プロジェクタケース外に突き出し可能に設けられていることを特徴とする。
【０００７】
さらに、このプロジェクタは、電源オン時にプロジェクタケース外への前記排気部の突き出しを検知して前記光源の点灯及び排気ファンの駆動を開始し、前記排気部の突き出しを検知しないときは、前記光源の点灯及び排気ファンの駆動を開始せずに、使用者に対し前記排気部の突き出しを指示する保安手段を備えているのが望ましい。
【０００８】
前記保安手段は、前記光源の点灯及び排気ファンの駆動中に前記排気部の突き出しを検知しなくなったときには、前記光源の点灯及び排気ファンの駆動を継続したまま、使用者に対し前記排気部の突き出しを指示するのが好ましい。
【０００９】
また、このプロジェクタにおいては、前記表示素子を、前記プロジェクタケース内の一側部に配置し、前記光源を、前記プロジェクタケース内の他側部に配置するとともに、前記排気部を、前記プロジェクタケースの前記光源が配置された側の側面に設け、前記吸気部を、前記プロジェクタケースの他の面に設けるのが望ましい。
【００１０】
このプロジェクタにおいて、前記排気パネルに形成された複数の排気孔の周面及びその両側縁と前記排気パネルの内面及び外面との境界部は、排気流方向に対して垂直またはそれに近い角度の面の無い形状に形成するのが望ましい。
【００１１】
前記排気孔の周面は、その奥行き方向の中央部から前記排気パネルの内面及び外面に向かって孔幅が大きくなる方向に湾曲または傾斜する形状に形成されているのが好ましい。
【００１２】
さらに、前記排気孔は長孔からなっており、その周面のうち、前記排気孔の長さ方向に沿った２つの面がそれぞれ、前記排気パネルの内面側から外面側に向かって前記排気孔の長さ方向と直交する一方の方向に傾斜する形状に形成されているのが好ましい。
【００１３】
その場合、前記排気パネルは、前記プロジェクタケースの開口部に移動可能に嵌装された前記排気筒のケース外側の開口端に、脱着可能に、且つ前記排気孔の長さ方向と直交する方向の両側縁の向きを逆にして着脱可能に設けるのが望ましい。
【発明の効果】
【００１４】
この発明のプロジェクタは、プロジェクタケースの排気部を、前記プロジェクタケースに形成された開口部に、前記プロジェクタケース外に突き出し可能に設けたものであるため、前記排気部を前記プロジェクタケース外に突き出させることにより、前記プロジェクタケース内に前記排気部に対向させてその近傍に配置された排気ファンから前記排気部までの距離を大きくし、前記排気ファンによる排気流が、その断面の略全体にわたって風圧が平均化した空気流となって前記排気部の全域に略一様な風圧で当たるようにすることができる。
【００１５】
したがって、このプロジェクタによれば、前記排気部に部分的に強い風圧の排気流が当たってその部分の排気孔からの排気流に渦が生じるのを防ぎ、プロジェクタケース内を排気ファンの送風力に見合った排気効率で効果的に空冷するとともに、前記排気部での風切り音を低減させることができる。
【００１６】
しかも、このプロジェクタは、不使用時には前記排気部を前記プロジェクタケースの開口部に格納することにより、邪魔な突き出し部が無い状態で保管または携帯することができる。
【００１７】
このプロジェクタにおいて、前記排気部は、そのプロジェクタケース外への突き出しストロークよりも大きい長さを有し、前記プロジェクタケースの開口部にケース内外方向に移動可能に嵌装された排気筒と、複数の排気孔が形成され、前記排気筒のケース外側の開口端に設けられた排気パネルとにより構成するのが好ましく、このようにすることにより、前記プロジェクタケース内において昇温した空気を、前記排気部の周囲方向に流出させること無く前記排気部から排気することができる。
【００１８】
さらに、このプロジェクタは、電源オン時にプロジェクタケース外への前記排気部の突き出しを検知して前記光源の点灯及び排気ファンの駆動を開始し、前記排気部の突き出しを検知しないときは、前記光源の点灯及び排気ファンの駆動を開始せずに、使用者に対し前記排気部の突き出しを指示する保安手段を備えているのが望ましく、このようにすることにより、前記排気部を突き出せない状態で排気ファンを駆動してしまうことによる大きな風切り音の発生を防ぐとともに、前記排気ファンを駆動しない状態で前記光源を点灯させてしまうことによるプロジェクタケース内の異常昇温を防ぐことができる。
【００１９】
前記保安手段は、前記光源の点灯及び排気ファンの駆動中に前記排気部の突き出しを検知しなくなったときには、前記光源の点灯及び排気ファンの駆動を継続したまま、使用者に対し前記排気部の突き出しを指示するのが好ましく、このようにすることにより、例えば画像の投影中に誤って前記排気部がプロジェクタケース内方向に移動されたときは、画像投影を中止させることなく、速やかに前記排気部を再び突き出し位置に戻させることができる。
【００２０】
また、このプロジェクタにおいては、前記表示素子を、前記プロジェクタケース内の一側部に配置し、前記光源を、前記プロジェクタケース内の他側部に配置するとともに、前記排気部を、前記プロジェクタケースの前記光源が配置された側の側面に設け、前記吸気部を、前記プロジェクタケースの他の面に設けるのが望ましく、このような構成とすることにより、発熱源である前記光源付近の高温の空気を速やかに排気し、前記光源付近を避けた領域から外気を取り込んで、前記プロジェクタケース内をより効果的に空冷することができる。
【００２１】
このプロジェクタにおいて、前記排気パネルに形成された複数の排気孔の周面及びその両側縁と前記排気パネルの内面及び外面との境界部は、排気流方向に対して垂直またはそれに近い角度の面の無い形状に形成するのが望ましく、このようにすることにより、前記排気孔からの排気流に渦が生じるのをさらに効果的に防ぎ、プロジェクタケース内をさらに効果的に空冷するとともに、前記排気部での風切り音をさらに低減ずることができる。
【００２２】
前記排気孔の周面は、その奥行き方向の中央部から前記排気パネルの内面及び外面に向かって孔幅が大きくなる方向に湾曲または傾斜する形状に形成されているのが好ましく、このようにすることにより、前記排気孔からの排気流に渦が生じるのを略完全に防ぎ、プロジェクタケース内をさらに効果的に空冷するとともに、前記排気部での風切り音をほとんど無くすことができる。
【００２３】
さらに、前記排気孔は長孔からなっており、その周面のうち、前記排気孔の長さ方向に沿った２つの面がそれぞれ、前記排気パネルの内面側から外面側に向かって前記排気孔の長さ方向と直交する一方の方向に傾斜する形状に形成されているのが好ましく、このようにすることにより、前記排気孔からの排気流に渦が生じるのを略完全に防ぎ、プロジェクタケース内を効果的に空冷し、前記排気部での風切り音をほとんど無くすとともに、前記排気部からの排気を、前記排気孔の長さ方向と直交する一方の方向に向けて放出することができる。
【００２４】
その場合、前記排気パネルは、前記プロジェクタケースの開口部に移動可能に嵌装された前記排気筒のケース外側の開口端に、脱着可能に、且つ前記排気孔の長さ方向と直交する方向の両側縁の向きを逆にして装着可能に設けるのが望ましく、このようにすることにより、前記排気孔から放出する排気の方向を、前記排気孔の長さ方向と直交する一方の方向と他方の方向とに任意に選択することができる。
【発明を実施するための最良の形態】
【００２５】
図１〜図５はこの発明の第１の実施例を示しており、図１及び図２はプロジェクタの使用状態及び不使用状態の外観斜視図、図３は前記プロジェクタの横断平面図、図４は図３のIV―IV線に沿う断面図である。
【００２６】
このプロジェクタは、平面形状が矩形状をなすプロジェクタケース１内に、光源１７と、複数の画素が行方向及び列方向にマトリックス状に配列した表示エリアを有し、前記複数の画素に入射した光の出射を制御して画像を表示する表示素子２８と、前記光源１７からの出射光を前記表示素子２８に入射させる光源側光学系２９と、前記表示素子２８からの出射光をプロジェクタケース１外、例えば図示しない外部スクリーン等の投影面に投影する投影レンズ４５とを配置したものである。
【００２７】
前記プロジェクタケース１は、その両側面及び後面と底面とを構成するケース本体１ａと、上面パネル１ｂと、前面パネル１ｃとからなっており、その後面に、パソコン用のＵＳＢ端子及びカラー画像信号と音声信号の入力端子と、ビデオ信号入力端子と、電源コネクタ（いずれも図示せず）が設けられている。
【００２８】
また、前記プロジェクタケース１の上面には、電源キー２と、光源点灯インジケータ３及び光源過熱インジケータ４と、自動画質調整キー５ａ及び手動画質調整キー５ｂと、前記電源コネクタを商用電源に接続したスタンバイ状態と前記電源キー２をオンさせたときとで点灯色が変化するパワー／スタンバイインジケータ６と、光源点灯、光源過熱、画質調整メニュー、外部からの入力信号の有無等の種々の情報を表示する使用状態表示部７と、開閉蓋８を開いて操作される各種調整キー（図示せず）と、スピーカ用放音部９が設けられ、前面に、図示しないリモコン器からの赤外線信号を受けるリモコン受信部１０が設けられている。
【００２９】
また、前記プロジェクタケース１の前面の一側部には、開閉可能な投影レンズカバー１２を備えた投影口１１が設けられている。なお、前記投影レンズカバー１２の中央部には開口が形成されており、その開口に例えば赤色の半透明板１３が設けられている。
【００３０】
さらに、前記プロジェクタケース１の底面には、その後側領域の両側部に配置された左右一対の後足部材１４ａと、前側領域の中央部付近にケース前縁部よりもある程度後方にずらして配置された１つの前足部材１４ｂが設けられている。
【００３１】
この後足部材１４ａ及び前足部材１４ｂは、プロジェクタの使用時（投影時）に、前記プロジェクタケース１を、その前面側を高くした斜め上向き状態に支持するものであり、一対の後足部材１４ａは、プロジェクタケース１の底部に螺合された図示しないねじ脚の下端に固定されており、前足部材１４ｂは、前記プロジェクタケース１内に設けられた図示しない脚ロック機構に上下方向にスライド可能に保持されたロッド脚１５の下端に固定され、ケース底面からの突出高さを調整可能に設けられている。
【００３２】
なお、前記脚ロック機構は、前記前面パネル１ｃに設けられたロック解除つまみ１６の押し下げにより前記ロッド脚１５のロックを解除し、ロック解除つまみ１６の押し下げが解除されたときにばね力により自動的に前記ロッド脚１５をロックする構成となっており、プロジェクタケース１は、プロジェクタの使用時に、前記ロック解除つまみ１６を押し下げて前記ロッド脚１５を前足部材１４ｂとともに自重により自由に下降できるようにし、その状態でプロジェクタケース１の前側を持ち上げて前記投影レンズ４５による投影方向を投影面に合わせた後に、前記ロック解除つまみ１６の押し下げを解除して前記ロッド脚１５をロックすることにより、前記斜め上向き状態に支持される。
【００３３】
次に、光源１７について説明すると、この光源１７は、図３及び図４に示したように、光源ランプ１８と、光を出射させる開放面を有し、内部に配置された前記光源ランプ１８からの放射光を反射して前記開放面から出射するリフレクタ２１と、前記リフレクタ２１の開放面の前側に配置された防爆ガラス２２とを備えている。
【００３４】
前記光源ランプ１８は、中間部に球状の膨らみ部を有するガラスバルブ１９内に、モリブデン等からなる一対の棒状電極２０ａ，２０ｂが、それぞれの先端を前記膨らみ部内において近接対向させ、それぞれの後端部を前記ガラスバルブ１９の両端からガラスバルブ１９外に露出させて設けられ、前記ガラスバルブ１９内に前記電極２０ａ，２０ｂの先端間に発生するアークにより発光する物質が封入された高圧水銀ランプ等のショートアークランプである。
【００３５】
また、前記リフレクタ２１は、その軸線上のリフレクタ内の点と前記開放面の前方の点とにそれぞれ焦点を有する楕円面リフレクタであり、中空の楕円球体をその長軸に対して垂直に切断した形状を有する耐熱ガラス製リフレクタ本体の内面全体に紫外線透過性反射膜２１ａを設けた構成となっている。
【００３６】
そして、前記光源ランプ１８は、その一端側を前記リフレクタ２１内に位置させ、他端側を前記リフレクタ２１の内奥面の中心に設けられた開口部からリフレクタ２１の後側に突出させるとともに、前記ガラスバルブ１９の軸線をリフレクタ２１の軸線に一致させ、且つ前記一対の電極２０ａ，２０ｂの先端間の発光点を前記リフレクタ２１のリフレクタ内側の焦点に一致させて設けられている。
【００３７】
また、前記防爆ガラス２２は、紫外線フィルタ機能を有するものであり、この実施例では、一方の面に紫外線反射膜２３が設けられ、他方の面に低反射膜２４が設けられたものを用いている。
【００３８】
なお、図３及び図４では、前記防爆ガラス２２を、紫外線反射膜２３の形成面をリフレクタ２１側に向け、低反射膜２４の形成面を出射側に向けて設けているが、この防爆ガラス２２は、図と反対に、低反射膜２４の形成面をリフレクタ２１側に向け、紫外線反射膜２３の形成面を出射側に向けて設けてもよい。
【００３９】
さらに、この光源１７は、前記リフレクタ２１の開放面の前側に配置された金属筒または耐熱性樹脂筒からなる筒状の防爆カバー２５を備えている。
【００４０】
この防爆カバー２５は、両端が開放し、且つ一端側から他端側に向かって大径となるテーパー付き円筒体の内周面全体に非反射処理を施したものであり、その一端、つまり大径側端の開放縁は防爆カバー２５の軸線に対して垂直に形成され、他端、つまり小径側端の開放縁は前記軸線に垂直な面に対して一方向に所定角度傾いた傾斜面に形成されている。
【００４１】
そして、この防爆カバー２５は、その一端（大径側端）の周縁部を前記リフレクタ２１の開放面の周縁部にビス止め等の手段により接続して設けられており、この防爆カバー２５の他端部（小径側端部）の内周に、前記防爆ガラス２２が、前記リフレクタ２１からの出射光の光軸、つまりリフレクタ２１の軸線に垂直な面に対して一方向に所定角度斜めに傾けて嵌合されている。
【００４２】
また、前記防爆カバー２５には、前記リフレクタ２１への接続端側の周面の一側部と他側部とに、前記リフレクタ２１の内部空間及び光源ランプ１８を空冷するための通風孔２６，２７が設けられている。
【００４３】
一方、前記表示素子２８（図３参照）は、カラーフィルタのような入射光を着色する手段を備えない表示素子であり、この実施例では、一般にＤＭＤと略称されるマイクロミラー表示素子（Digital Micromirror Device）を用いている。以下、この表示素子２８をマイクロミラー表示素子と言う。
【００４４】
前記マイクロミラー表示素子２８は、その構成は図示しないが、１つ１つの画素をそれぞれ、ＣＭＯＳをベースとするミラー駆動素子によって一方の傾き方向と他方の傾き方向とに傾動されるマイクロミラーにより形成したものであり、これらのマイクロミラーは、縦横の幅が１０μｍ〜２０μｍの極薄金属片（例えばアルミニウム片）からなっている。
【００４５】
このマイクロミラー表示素子２８は、その正面方向に対して一方向に傾いた入射方向から所定の角度範囲の入射角で入射した光を、前記複数のマイクロミラーの傾き方向の切換えにより前記正面方向と斜め方向とに反射して画像を表示するものであり、一方の傾き方向に傾動されたマイクロミラーに入射した光をこのマイクロミラーにより正面方向に反射し、他方の傾き方向に傾動されたマイクロミラーに入射した光をこのマイクロミラーにより斜め方向に反射し、正面方向への反射による明表示と、斜め方向への反射による暗表示とにより画像を表示する。
【００４６】
なお、前記明表示の明るさは、前記マイクロミラーを前記一方の傾き方向（入射光を正面方向に反射させる傾き方向）に傾けておく時間を制御することによって任意に変化させることができ、したがって、前記マイクロミラー表示素子２８に、明るさに階調をもたせた画像を表示させることができる。
【００４７】
前記マイクロミラー表示素子２８は、前記プロジェクタケース１内の後部領域の一側部に、その正面方向を前記プロジェクタケース１の前面の一側部に設けられた投影口１１に対向させて配置されている。
【００４８】
また、前記光源１７からの出射光を前記マイクロミラー表示素子２８に入射させる光源側光学系２９は、図３及び図４に示したように、前記光源１７からの出射光を赤、緑、青の３色に順次着色するためのカラーホイール３０と、前記光源１７からの出射光の強度分布を均一にするための導光ロッド３３と、前記カラーホイール３０により着色され、前記導光ロッド３３により強度分布を均一にされた光を前記マイクロミラー表示素子２８の前面に向けて投射する前後２つの光源側レンズ３４，３５及びミラー３７とからなっている。
【００４９】
前記カラーホイール３０は、扇状の赤、緑、青の３色のカラーフィルタ３１Ｒ，３１Ｇ，３１Ｂが周方向に並べて設けられた回転板からなっており、その中心を前記光源１７からの出射光の光路の側方に配置されたカラーホイール回転モータ３２の回転軸に固定され、ホィール周方向の一部を前記光源１７からの出射光の光路に介在させて配置されている。
【００５０】
このカラーホイール３０は、前記モータ３２により、前記３色のカラーフィルタ３１Ｒ，３１Ｇ，３１Ｂが前記光源１７からの出射光の光路を順次横切るように高速で回転駆動される。
【００５１】
また、前記導光ロッド３３は、前記マイクロミラー表示素子２８の複数の画素がマトリックス状に配列している表示エリアの外形と相似な断面形状を有し、内周面全体に反射膜（図示せず）が設けられた角筒状体からなっており、その一端に光を入射させる入射面が形成され、他端に前記入射面から入射した光の出射面が形成されている。
【００５２】
この導光ロッド３３は、前記入射面から入射した光をロッド内周面の反射膜により反射しながら導いて前記出射面から均一な強度分布の光を出射するものであり、この導光ロッド３３は、前記カラーホイール３０の出射側に、前記入射面を前記カラーホイール３０を介して前記光源１７に対向させるとともに、前記光源１７のリフレクタ２１の開放面から出射し、前記リフレクタの前側に斜めに傾けて配置された前記防爆ガラス２２を屈折して透過した光を前記入射面から入射させるために、前記防爆ガラス２２を透過した光の光軸、つまり前記リフレクタ２１の開放面からの出射光の光軸（リフレクタ２１の軸線）Ｏ１に対して一方向（防爆ガラス２２での屈折方向）に平行にシフトした光軸Ｏ２にロッド中心軸を一致させて配置されている。
【００５３】
また、前記光源側レンズ３４，３５は、前記導光ロッド３３の出射側に配置されたレンズ支持筒３６内に、レンズ中心を前記導光ロッド３３の中心軸の延長線、つまり前記光源１７からの出射光（防爆ガラス２２を透過して出射した光）の光軸Ｏ２に一致させて配置されている。
【００５４】
そして、この実施例では、前記レンズ支持筒３６の入射側に、前記カラーホイール回転モータ３２の配置部に対応する側部が切欠された筒状の導光ロッド支持部を形成し、この導光ロッド支持部内に前記導光ロッド３３を嵌装している。
【００５５】
なお、前記導光ロッド３３は、前記マイクロミラー表示素子２８の表示エリアと相似な断面形状を有する透明な角棒状体からなり、一端の入射面から入射した光を、ロッド外周面と外気である空気層との界面で全反射しながら導いて他端の出射面から均一な強度分布の光を出射するものでもよく、その場合は、前記レンズ支持筒３６の導光ロッド支持部の内径を大きくし、前記角棒状体からなる導光ロッドを、前記導光ロッド支持部内に、その内周面との間に空間を介在させて配置すればよい。
【００５６】
前記光源１７のリフレクタ２１と、前記光源側光学系２９のカラーホイール回転モータ３２と、前記導光ロッド３３と光源側レンズ３４，３５を支持したレンズ支持筒３６は、両端が開放する光源側ハウジング３８内に所定の位置関係で固定されている。
【００５７】
そして、光源側ハウジング３８は、図３及び図４に示したように、前記プロジェクタケース１内の前後方向における中央部から後側の領域に、前記プロジェクタケース１の両側面のうち、前記マイクロミラー表示素子２８の配置側とは反対側の側面に前記光源１７の配置側を向け、前記レンズ支持筒３６の出射端を前記マイクロミラー表示素子２８の正面方向の領域に対向させるとともに、前記光源１７からの出射光の光軸Ｏ２を、前記マイクロミラー表示素子２８の正面方向に対して略直交させて設置されている。
【００５８】
また、前記光源側光学系２９のミラー３７は、平面鏡からなっており、このミラー３７は、一側面と後面及び前面に開口４０，４１，４２を有し、前記一側面の開口４０内に前記レンズ支持筒３６の出射端を挿入するとともに後面の開口４１を前記マイクロミラー表示素子２８に対向させて前記プロジェクタケース１内に設置されたミラーハウジング３９内に、前記マイクロミラー表示素子２８の正面方向領域を挟んで前記レンズ支持筒３６の出射端と対向させるとともに、前記光源１７からの出射光の光軸Ｏ２に対して所定角度斜めに傾けて、前記光源１７から出射し、前記カラーホイール３０と導光ロッド３３と光源側レンズ３４，３５とを透過した光を前記マイクロミラー表示素子２８に向けて反射し、その反射光を前記マイクロミラー表示素子２８にその正面方向に対して一方の方向に傾いた方向から投射するように配置されている。
【００５９】
一方、前記マイクロミラー表示素子２８の前面には、このマイクロミラー表示素子２８を保護するカバーガラス４３が配置されており、その前面側に、前記ミラーハウジング３９の後面の開口に設けられ、前記光源１７から出射し、前記光源側光学系２９によりマイクロミラー表示素子２８にその正面方向に対して一方の方向に傾いた方向から投射された光を前記マイクロミラー表示素子２８の正面方向に対して所定角度傾いた方向に沿う平行光に補正して前記マイクロミラー表示素子２８に入射させ、前記マイクロミラー表示素子２８から出射した画像光を投影レンズ４５に入射させる中継レンズ４４が配置されている。
【００６０】
この中継レンズ４４は、前記光源側光学系２９からの投射光のうち、中継レンズ面で表面反射した光を、前記投影レンズ４５による投影方向以外の方向に出射する特性を有している。
【００６１】
前記中継レンズ４４は、一方の面が凸面に形成され、他方の面が凹面に形成されたメニスカスレンズからなっており、その凸面を前記マイクロミラー表示素子２８に対向させ、凹面を前記光源側光学系２９及び投影レンズ４５に対向させるとともに、レンズ中心を、前記マイクロミラー表示素子２８の表示エリアの周縁のうち、前記光源側光学系２９からの投射光が入射する方向とは反対側の縁部の中心付近に対向させて配置されている。
【００６２】
そして、この中継レンズ４４の光源側光学系２９及び投影レンズ４５に対向する凹面は、前記光源側光学系２９からの投射光のうち、前記凹面で表面反射した光を、投影レンズ４５による投影方向以外の方向に出射する曲率をもった面に形成され、マイクロミラー表示素子２８に対向する凸面は、前記凹面の曲率に基いて、前記光源側光学系２９からの投射光を前記凹面と凸面とによりマイクロミラー表示素子２８の正面方向に対して所定角度傾いた方向に屈折させて前記マイクロミラー表示素子２８に入射させ、前記マイクロミラー表示素子２８からその正面方向に出射した光を前記凸面と凹面とにより屈折させて前記投影レンズ４５に入射させる曲率をもった面に形成されている。
【００６３】
なお、この中継レンズ４４の有効領域は、円形レンズのうちの前記マイクロミラー表示素子２８の表示エリアに対応する部分であり、他の部分は非有効領域であるため、この実施例では、円形レンズから前記非有効領域を切り落とした形状の中継レンズ４４を用いている。
【００６４】
また、前記投影レンズ４５は、入射側固定鏡胴４６と、この固定鏡胴４６に係合され、回転操作により軸方向に進退移動される出射側可動鏡胴４７とを備え、これらの鏡胴４６，４７内にそれぞれ複数枚のレンズ素子を組合わせて構成されたレンズ群４８，４９を設けた可変焦点レンズであり、この投影レンズ４５は、その固定鏡胴４６の基端を前記ミラーハウジング３９の前面の開口４２内に挿入し、この固定鏡胴４６の入射端を前記中継レンズ４４を介して前記マイクロミラー表示素子２８に対向させ、前記可動鏡胴４７の出射端をプロジェクタケース１の前面の一側部に設けられた投影口１１に移動可能に嵌装して前記プロジェクタケース１内に配置されている。
【００６５】
なお、前記プロジェクタケース１の投影レンズ配置側の側面には、前記投影レンズ４５の可動鏡胴４７を手動により回転させて軸方向に移動させ、前記投影レンズ４５の焦点調整を行なうための開口５０が設けられている。
【００６６】
また、前記プロジェクタケース１内には、その後面部と前記光源側ハウジング３８との間に、表示／音声系回路基板５１が立設状態で配置されており、この表示／音声系回路基板５１に、プロジェクタケース１の後面に設けられた図示しないＵＳＢ端子、カラー画像信号と音声信号の入力端子及びビデオ信号入力端子と、前記マイクロミラー表示素子２８と、前記プロジェクタケース１内の上面部にスピーカ用放音部９に対向させて配置されたスピーカ（図示せず）が接続されている。
【００６７】
さらに、前記プロジェクタケース１内の前記光源側ハウジング３８の前側のスペースには、プロジェクタケース１の後面に設けられた図示しない電源コネクタに接続された電源系回路基板５２が水平に配置されており、この電源系回路基板５２に、前記光源１７の光源ランプ１８が、その一対の電極２０ａ，２０ｂの露出部にそれぞれ接続されたリード線５３ａ，５３ｂを介して接続されるとともに、前記カラーホイール回転モータ３２が図示しないリード線を介して接続されている。
【００６８】
なお、前記光源ランプ１８の一対の電極２０ａ，２０ｂのうち、リフレクタ２１内側の電極２０ａの露出部に接続されたリード線５３ａは、前記リフレクタ２１に設けられたリード挿通孔を通してリフレクタ２１外に引き出され、さらに光源側ハウジング３８の端部から引き出されて前記電源系回路基板５２に接続されている。
【００６９】
また、前記プロジェクタケース１内には、その上面部と光源側ハウジング３８及びミラーハウジング３９との間に、プロジェクタ制御回路基板５４が水平に配置されており、この制御回路基板５４に、前記表示／音声系回路基板５１及び電源系回路基板５２と、プロジェクタケース１の上面に設けられた電源キー２、光源点灯インジケータ３、光源過熱インジケータ４、自動画質調整キー５ａ、手動画質調整キー５ｂ及びパワー／スタンバイインジケータ６と、開閉蓋８を開いて操作される各種調整キーと、プロジェクタケース１内にその前面のリモコン受信部１０に対向させて設けられた図示しない受信素子と、前記光源側ハウジング３８内にリフレクタ２１の近傍に位置させて配置された図示しない光源温度測定センサが接続されている。
【００７０】
また、プロジェクタケース１の上面の使用状態表示部７は、前記プロジェクタケース１の上面に設けられた表示窓と、その表示窓に対向させてプロジェクタケース１内に配置された図示しない表示パネル（例えば液晶表示パネル）及びその駆動回路とからなっており、前記駆動回路は前記プロジェクタ制御回路基板５４に接続されている。
【００７１】
さらに、前記プロジェクタケース１は、プロジェクタケース１内を空冷するための吸気部５５，５６，５７と排気部６０を有している。
【００７２】
前記吸気部５５，５６，５７は、プロジェクタケース１の底面と、前記プロジェクタケース１の投影レンズ４５が配置された側の側面と、前記プロジェクタケース１の後面とに設けられており、これらの吸気部５５，５６，５７はそれぞれ、前記プロジェクタケース１に長孔からなる複数の吸気孔５５ａ，５６ａ，５７ａを密な間隔で設けて形成されている。
【００７３】
なお、前記光源側ハウジング３８と電源系回路基板５２は、プロジェクタケース１の底面部との間に通風空間を確保して配置されており、ケース底面の吸気部５５を形成する複数の吸気孔５５ａは、前記光源側ハウジング３８及び電源系回路基板５２の下側にそれぞれ密な間隔で設けられている。なお、前記電源系回路基板５２の下側の吸気孔は図示していない。
【００７４】
また、前記投影レンズ４５は、プロジェクタケース１の側面部との間に通風空間を確保して配置されており、ケース側面の吸気部５６を形成する複数の吸気孔５６ａは、前記ケース側面の投影レンズ焦点調整用開口５０よりも後側の部分の略全域にわたって密な間隔で設けられている。
【００７５】
さらに、前記表示／音声系回路基板５１は、プロジェクタケース１の上面部との間に通風空間を確保して配置されており、ケース後面の吸気部５７を形成する複数の吸気孔５７ａは、前記マイクロミラー表示素子２８の配置部に対応する部分に密な間隔で設けられている。
【００７６】
前記ケース底面の吸気部５５のうちの前記電源系回路基板５２の下側に設けられた図示しない部分と、ケース側面の吸気部５６はそれぞれ自然吸気部、前記ケース底面の吸気部５５のうちの前記光源側ハウジング３８の下側の部分と、ケース後面のマイクロミラー表示素子２８の配置部に対応する部分に設けられた吸気部５７は強制吸気部であり、前記プロジェクタケース１内には、これらの強制吸気部５５，５７にそれぞれ対向させて吸気ファン５８，５９が配置されている。
【００７７】
一方、前記排気部６０は、前記プロジェクタケース１の光源１７が配置された側の側面に形成された開口部６４に、前記プロジェクタケース１外に突き出し可能に設けられている。
【００７８】
前記開口部６４は、プロジェクタケース１の側面の略全体に形成されており、排気部６０は、前記プロジェクタケース１の側面に、その略全体にわたって設けられている。
【００７９】
前記排気部６０は、そのプロジェクタケース１外への突き出しストロークよりも大きい長さを有し、前記プロジェクタケース１の開口部６４にケース内外方向に移動可能に嵌装された矩形筒状の排気筒６１と、複数の排気孔６２ａが密な間隔で配列形成され、前記排気筒６１のケース外側の開口端に設けられた矩形板状の排気パネル６２とにより構成されている。
【００８０】
前記排気パネル６２に形成された複数の排気孔６２ａは長孔からなっており、これらの排気孔６２ａの周面及びその両側縁と排気パネル６２の内面及び外面との境界部は、排気流方向に対して垂直またはそれに近い角度の面の無い形状に形成されている。
【００８１】
図５は前記排気孔６２ａの拡大断面図であり、この実施例では、前記排気パネル６２の隣り合う排気孔６２ａ間の部分の断面形状を、横長の菱形形状、つまり排気パネル６２の厚さ方向の対角線長が前記排気パネル６２の板面と平行な方向の対角線長よりも大きい菱形形状にすることにより、複数の排気孔６２ａの周面を、その奥行き方向（排気パネル６２の厚さ方向）の中央部から前記排気パネル６２の内面及び外面に向かって孔幅が大きくなる方向に傾斜する山形面状に形成し、前記排気孔６２ａの周面及びその両側縁と排気パネル６２の内面及び外面との境界部を、排気流方向に対して垂直またはそれに近い角度の面の無い形状にしている。
【００８２】
また、前記プロジェクタケース１内の前記排気部６０が設けられた側面側には、ケース上面部及び底面部の内面とケース前後面部の内側に設けられたガイド壁６５とからなる矩形筒状の排気部案内部が形成され、前記排気筒６１のケース内側の端部の外周には前記排気部案内部の周面を転動するコロ球を備えたケース摺動部６２ａが設けられており、前記排気部６０は、前記排気筒６１のケース摺動部６２ａをプロジェクタケース１内の前記排気部案内部で案内されて、前記プロジェクタケース１外に所定ストローク突き出される。
【００８３】
さらに、前記排気筒６１のケース内側端部の前後面にはそれぞれ、前記プロジェクタケース１の前後面に形成されたスリット部６６からプロジェクタケース１外に露出する排気部移動摘み６３が設けられており、前記排気部６０は、前記排気部移動摘み６３をケース側面方向にスライドさせることによりプロジェクタケース１外に突き出され、前記排気部移動摘み６３を逆方向にスライドさせることにより前記プロジェクタケース１の側面の開口部６４に復帰移動される。
【００８４】
なお、前記排気部移動摘み６３は、この摘み６３をケース側面方向にスライドさせたときの前記スリット部６６の開放部（排気部移動摘み６３が移動された方向とは反対側の部分）をケース１内側から覆って前記スリット部６６からのケース内空気の流出を防ぐためのスリットカバー６３ａを有している。
【００８５】
前記排気部６０は強制排気部であり、前記プロジェクタケース１内には、前記排気部６０の略全域、つまりプロジェクタケース１の光源１７が配置された側の側面の略全域に対応させて、複数台、例えば３台の大風力排気ファン６７，６８，６９が配置されている。
【００８６】
そして、前記プロジェクタケース１内に前記強制吸気部５５，５７にそれぞれ対向させて配置された吸気ファン５８，５９と、前記排気部６０に対応させて配置された排気ファン６７，６８，６９は、前記電源系回路基板５２に接続されている。
【００８７】
さらに、この実施例のプロジェクタは、電源オン時にプロジェクタケース１外への排気部６０の突き出しを検知して光源１７の点灯及び前記排気ファン６７，６８，６９の駆動を開始し、前記排気部６０の突き出しを検知しないときは、前記光源１７の点灯及び前記吸気ファン５８，５９と排気ファン６７，６８，６９の駆動を開始せずに、プロジェクタの使用者に対し前記排気部６０の突き出しを指示する保安手段を備えている。
【００８８】
この保安手段は、プロジェクタケース１内に設けられて前記排気部６０のプロジェクタケース１外への所定ストロークの突き出しを検知する検知器（例えばマイクロスイッチ）７０と、に設けられ、前記電源キー２がオンされたときに、前記検知器７０による前記排気部６０の突き出し検知を確認して、前記排気部６０の突き出しが検知されたときに、光源点灯信号及びファン駆動信号を出力し、前記排気部６０の突き出しが検知されないときは、前記光源点灯信号及びファン駆動信号を出力せずに、前記排気部６０を突き出させるための排気部突き出し指示信号を出力する図示しない保安回路とからなっており、前記保安回路は前記プロジェクタ制御回路基板５４に形成され、この保安回路に前記検知器７０が接続されている。
【００８９】
この実施例では、前記保安手段を、前記排気部６０の突き出しが検知されないときに、前記保安回路から、前記使用状態表示部７に設けられた図示しない表示パネル駆動回路と前記表示／音声系回路基板５１とにそれぞれ排気部突き出し指示信号を供給し、使用者に対する前記排気部６０の突き出し指示を、前記使用状態表示部７への表示と、前記スピーカ用放音部９からの音声または警報との両方によって行なうようにしている。
【００９０】
さらに、この実施例では、前記保安手段を、前記光源１７の点灯及び吸排気ファン５８，５９，６７，６８，６９の駆動中に排気部６０の突き出しを検知しなくなったときには、前記光源１７の点灯及び吸排気ファン５８，５９，６７，６８，６９の駆動を継続したまま、使用者に対し前記排気部６０の突き出しを指示するように構成している。
【００９１】
このプロジェクタは、投影レンズカバー１２を開いて投影レンズ４５の出射端を露出させるとともに、前記排気部６０をプロジェクタケース１外に突き出させた状態で使用されるものであり、その状態で電源キー２をオンさせると、前記光源１７の光源ランプ１８が点灯し、光源側光学系２９のカラーホイール３０が高速で回転駆動されてマイクロミラー表示素子２８に赤、緑、青の光が順次投射され、前記マイクロミラー表示素子２８から順次出射する赤、緑、青の光が投影レンズ４５により投影されるとともに、前記吸気ファン５９，６０及び排気ファン６７，６８，６９が駆動され、プロジェクタケース１内の空冷が開始される。
【００９２】
また、前記投影レンズ４５による投影方向を投影面に合わせるプロジェクタケース１の姿勢調整は、前記赤、緑、青の光を投影レンズ４５により投影させた状態で前足部材１４の突出高さを調整することにより行なわれる。
【００９３】
このプロジェクタは、前記光源１７から出射して前記光源側光学系２９に入射した光を、前記カラーホイール３０により赤、緑、青の３色に順次着色し、さらに前記導光ロッド３３により強度分布を均一にして、前記光源側レンズ３４，３５及びミラー３７によりマイクロミラー表示素子２８に向けて投射するとともに、前記赤、緑、青の光の投射周期に同期させて前記マイクロミラー表示素子２８に赤、緑、青の単色画像データを順次書込むことにより、前記マイクロミラー表示素子２８に赤、緑、青の単色画像を順次表示させ、前記マイクロミラー表示素子２８から順次出射する赤、緑、青の単色画像光を、投影レンズ４５により拡大して投影面に投影するものであり、前記投影面に、赤、緑、青の３色の単色画像が重なって見えるフルカラー画像を表示する。
【００９４】
なお、パソコンからの画像信号またはビデオ信号が入力されないときは、前記マイクロミラー表示素子２８の表示エリア全体から赤、緑、青の光が順次出射し、その光が投影レンズ４５により投影される。そのため、このときの投影面の投影領域はその全体にわたって白である。
【００９５】
そして、前記画像信号またはビデオ信号が入力されると、前記マイクロミラー表示素子２８に赤、緑、青の単色画像データが順次書込まれ、前記投影面に赤、緑、青の３色の単色画像が順次投影されてフルカラー画像が表示される。
【００９６】
このプロジェクタにおいて、前記光源１７は、光源ランプ１８の発光点からの放射光を、リフレクタ２１により集光方向に反射してその開放面から出射し、その光を前記リフレクタ２１の開放面の前側に配置された防爆ガラス２２を透過させて出射する。
【００９７】
前記光源１７からの出射光は、光源側光学系２９のカラーホイール３０により赤、緑、青の３色に順次着色されて導光ロッド３３に入射する。
【００９８】
なお、前記光源１７からの出射光、つまり前記リフレクタ２１の開放面から出射し、斜めに傾けて配置された防爆ガラス２２を屈折して透過した光は、上述したように、その光軸Ｏ２が前記リフレクタ２１の開放面からの出射光の光軸Ｏ１に対して一方向にシフトした光であるが、このプロジェクタでは、前記導光ロッド３３を、そのロッド中心軸を前記光源１７から前記防爆ガラス２２を透過して出射した光の光軸Ｏ２に一致させて配置しているため、前記光源１７からの出射光を前記導光ロッド３３にその入射面から入射させることができる。
【００９９】
前記導光ロッド３３にその入射面から入射した光は、この導光ロッド３３により強度分布を均一されてその出射面から出射し、前記光源側レンズ３４，３５及びミラー３７により、マイクロミラー表示素子２８に、その正面方向に対して一方の方向に傾いた方向から向けて投射され、中継レンズ４４により前記マイクロミラー表示素子２８の正面方向に対して所定角度傾いた方向に沿う平行光に補正されて前記マイクロミラー表示素子２８に入射する。
【０１００】
前記マイクロミラー表示素子２８は、前記赤、緑、青の光の投射周期に同期させて赤、緑、青の単色画像データを順次書込まれ、赤、緑、青の単色画像を順次表示する。
【０１０１】
そして、前記マイクロミラー表示素子２８から順次出射した赤、緑、青の単色画像光は、前記中継レンズ４４により集光されて投影レンズ４５に入射し、この投影レンズ４５により拡大されて投影面に投影される。
【０１０２】
なお、このプロジェクタでは、前記中継レンズ４４に、マイクロミラー表示素子２８に対向する面が凸面に形成され、前記光源側光学系２９及び投影レンズ４５に対向する面が凹面に形成されたメニスカスレンズを用いているため、前記光源側光学系２９からの投射光を前記マイクロミラー表示素子２８の正面方向に対して所定角度傾いた方向に沿う平行光に補正して前記マイクロミラー表示素子２８に入射させ、このマイクロミラー表示素子２８から出射した画像光を前記投影レンズ４５に入射させるとともに、前記光源側光学系２９からの投射光のうち、前記中継レンズ４４の光源側光学系２９及び投影レンズ４５に対向する凹面で表面反射した光を、前記投影レンズ４５による画像光の投影方向以外の方向に出射することができ、したがって、前記中継レンズ４４の光源側光学系２９及び投影レンズ４５に対向する凹面で表面反射した光が前記投影レンズ４５により投影面に投影されることは無く、したがって、前記投影面に、輝度むらやコントラスト低下の無い高品質の投影画像を表示することができる。
【０１０３】
また、プロジェクタケース１内の空冷は、ケース内空気を、前記プロジェクタケース１の光源１７が配置された側の側面にその略全体にわたって設けられた排気部６０から前記大風力排気ファン６７，６８，６９により強制排気し、ケース底面の光源側ハウジング３８の下側の部分に設けられた吸気部５５と、ケース後面にマイクロミラー表示素子２８の配置部に対応させて設けられた吸気部５７とから外気を前記吸気ファン５８，５９によりケース１内に強制吸気し、さらにケース底面の電源系回路基板５２の下側の部分に設けられた図示しない吸気部及び前記プロジェクタケース１の投影レンズ４５が配置された側の側面に設けられた吸気部５６から、前記排気部６０からのケース内空気の排気にともなう自然吸気によって外気をケース内に吸気して、前記各吸気部５５，５６，５７から吸気した冷却空気を図３に破線矢印で示したようにプロジェクタケース１に通風させてケース内の全域を空冷するとともに、その冷却空気の一部を光源１７の防爆カバー２５の一側部に設けられた通風孔２６からリフレクタ２１内に流入させ、前記リフレクタ２１内の空気を前記防爆カバー２５の他側部に設けられた通風孔２７からケース内に流出させて前記リフレクタ２１の内部空間及び光源ランプ１８を空冷することにより行なわれる。
【０１０４】
また、画像投影の終了後は、前記画像信号またはビデオ信号の入力を停止し、次いで電源キー２をオフさせればよく、前記電源キー２をオフさせると、光源１７の光源ランプ１８が消灯し、前記カラーホイール３０の回転駆動が停止されるとともに、それから一定時間後、または光源温度が一定温度以下になったときに吸気ファン５９，６０及び排気ファン６７，６８，６９の駆動が停止される。
【０１０５】
そして、前記投影レンズカバー１２は、前記吸気ファン５９，６０及び排気ファン６７，６８，６９の駆動が停止された後に図２のように閉じられ、また前記排気部６０は、前記吸気ファン５９，６０及び排気ファン６７，６８，６９の駆動が停止された後に図２のようにプロジェクタケース１の側面の開口部６４に復帰移動されて格納される。
【０１０６】
なお、前記画像信号またはビデオ信号の入力を停止して画像投影を終了すると、投影面の投影領域全体が上述したように白になるため、前記電源キー２をオフさせずに投影レンズカバー１２を閉じてしまうことがあり、その場合は、光源ランプ１８の点灯と、カラーホイール３０と吸気ファン５９，６０及び排気ファン６７，６８，６９の駆動が継続されて無駄に電力を消費してしまう。
【０１０７】
しかし、このプロジェクタでは、前記投影レンズカバー１２の中央部に開口を形成し、その開口に半透明板１３を設けているため、電源キー２をオフさせずに投影レンズカバー１２を閉じてしまったときは、前記半透明板１３が投影レンズ４５からの出射光を受けて光って見える。そのため、使用者に電源の切り忘れを気付かせることができる。
【０１０８】
また、このプロジェクタは、プロジェクタケース１の排気部６０を、前記プロジェクタケース１に形成された開口部６４に、前記プロジェクタケース１外に突き出し可能に設けたものであるため、前記排気部６０を図１及び図３，４に実線で示したようにプロジェクタケース１外に突き出させることにより、前記プロジェクタケース１内に前記排気部６０に対向させてその近傍に配置された排気ファン６７，６８，６９から前記排気部６０までの距離を大きくし、前記排気ファン６７，６８，６９による排気流が、その断面の略全体にわたって風圧が平均化した空気流となって前記排気部６０の全域に略一様な風圧で当たるようにすることができる。
【０１０９】
したがって、このプロジェクタによれば、前記排気部６０に部分的に強い風圧の排気流が当たってその部分の排気孔６２ａからの排気流に渦が生じるのを防ぎ、プロジェクタケース１内を排気ファン６７，６８，６９の送風力に見合った排気効率で効果的に空冷するとともに、前記排気部６０での風切り音を低減させることができる。
【０１１０】
しかも、このプロジェクタは、不使用時には前記排気部６０を図２及び図３，４に鎖線で示したようにプロジェクタケース１の開口部６４に格納することにより、邪魔な突き出し部が無い状態で保管または携帯することができる。
【０１１１】
このプロジェクタにおいて、前記排気部６０は、上述したように、そのプロジェクタケース１外への突き出しストロークよりも大きい長さを有し、前記プロジェクタケース１の開口部６４にケース内外方向に移動可能に嵌装された排気筒６１と、複数の排気孔６２ａが形成され、前記排気筒６１のケース外側の開口端に設けられた排気パネル６１とにより構成するのが好ましく、このようにすることにより、前記プロジェクタケース１内において昇温した空気を、前記排気部６０の周囲方向に流出させること無く前記排気部６０から排気することができる。
【０１１２】
さらに、このプロジェクタは、電源オン時にプロジェクタケース１外への前記排気部６０の突き出しを前記検知器７０により検知して前記光源１７の点灯及び吸排気ファン５８，５９，６７，６８，６９の駆動を開始し、前記排気部６０の突き出しを検知しないときは、前記光源１７の点灯及び吸排気ファン５８，５９，６７，６８，６９の駆動を開始せずに、使用者に対し前記排気部６０の突き出しを指示する保安手段を備えているため、前記排気部６０を突き出せない状態で排気ファン６７，６８，６９を駆動してしまうことによる大きな風切り音の発生を防ぐとともに、前記排気ファン６７，６８，６９を駆動しない状態で前記光源１７を点灯させてしまうことによるプロジェクタケース１内の異常昇温を防ぐことができる。
【０１１３】
さらに、上記実施例では、前記保安手段を、前記光源１７の点灯及び排気ファン６７，６８，６９の駆動中に前記排気部６０の突き出しを検知しなくなったときには、前記光源１７の点灯及び給排気ファン５８，５９，６７，６８，６９の駆動を継続したまま、使用者に対し前記排気部６０の突き出しを指示するように構成しているため、例えば画像の投影中に誤って前記排気部６０がプロジェクタケース１内方向に移動されたときは、画像投影を中止させることなく、速やかに前記排気部６０を再び突き出し位置に戻させることができる。
【０１１４】
なお、上記実施例では、前記保安手段を、電源オン時にプロジェクタケース１外への前記排気部６０の突き出しを検知しないときは、吸気ファン５８，５９と排気ファン６７，６８，６９の両方の駆動を開始しないように構成しているが、吸気ファン５８，５９は、前記排気部６０の突き出し検知に関係なく、電源オン時に駆動させるようにしてもよい。
【０１１５】
また、上記実施例のプロジェクタにおいては、前記マイクロミラー表示素子２０を、前記プロジェクタケース１内の一側部に配置し、前記光源１７を、前記プロジェクタケース１内の他側部に配置するとともに、前記排気部６０を、前記プロジェクタケース１の前記光源１７が配置された側の側面に設け、前記吸気部５５，５６，５７を、前記プロジェクタケース１の他の面に設けているため、発熱源である光源１７の付近の高温の空気を速やかに排気し、光源１７付近を避けた領域から外気を取り込んで、前記プロジェクタケース１内をより効果的に空冷することができる。
【０１１６】
さらに、上記実施例のプロジェクタでは、前記排気部６０を、前記プロジェクタケース１の光源１７が配置された側の側面の略全域に設け、前記プロジェクタケース１内に、前記排気部６０の略全域に対応させて複数台の排気ファン６７，６８，６９を配置しているため、排気量を多くし、前記プロジェクタケース１内をさらに効果的に空冷することができる。
【０１１７】
また、上記実施例では、前記吸気部５５，５６，５７を、前記プロジェクタケース１の前記排気部６０が設けられた側面以外の複数の面に、例えば、プロジェクタケース１の底面と、投影レンズ４５が配置された側の側面と、後面とにそれぞれ設けているため、前記複数の面から外気を取り込んで、プロジェクタケース１内を効果的に空冷することができる。
【０１１８】
さらに、上記実施例では、前記プロジェクタケース１の少なくとも前記排気部６０が設けられた側面とは反対側の面、つまり前記投影レンズ４５が配置された側の側面に吸気部５６を設けているため、前記プロジェクタケース１内の略全域を空冷することができる。
【０１１９】
また、上記実施例では、前記プロジェクタケース１の前記排気部６０が設けられた側面以外の複数の面に設けられた複数の吸気部５５，５６，５７のうち、ケース底面の光源側ハウジング３８の下側の部分に設けられた吸気部５５と、ケース後面のマイクロミラー表示素子２８の配置部に対応する部分に設けられた吸気部５７とを強制吸気孔とし、プロジェクタケース１内に、前記強制吸気部５５，５７にそれぞれ対向させて吸気ファン５８，５９を配置しているため、前記プロジェクタケース１内の空冷効果をさらに高くすることができる。
【０１２０】
さらにまた、上記実施例のプロジェクタは、前記排気部６０を構成する排気パネル６２の隣り合う排気孔６２ａ間の部分の断面形状を横長の菱形形状にすることにより、複数の排気孔６２ａの周面を、その奥行き方向の中央部から前記排気パネル６２の内面及び外面に向かって孔幅が大きくなる方向に傾斜する山形面状に形成し、前記排気孔６２ａの周面及びその両側縁と排気パネル６２の内面及び外面との境界部を、排気流方向に対して垂直またはそれに近い角度の面の無い形状にしているため、前記排気孔６２からの排気流に渦が生じるのをさらに効果的に防ぎ、プロジェクタケース１内をさらに効果的に空冷するとともに、前記排気部６２での風切り音をより低減ずることができる。
【０１２１】
すなわち、図６は、周面を排気パネル６２の板面に垂直な直線面に形成した比較例の排気孔６２ｂを示しており、この比較例の排気孔６２ｂは、その周面の両側縁と前記排気パネル６２の内面及び外面との境界部が直角であるため、この排気孔６２ｂからの排気流に図に矢線で示したように渦が生じ、排気ファン６７，６８，６９の送風力に見合った排気効率が得られなくなるだけでなく、風切り音を発生する。
【０１２２】
それに対して、上記実施例のように周面を山形面状に形成した排気孔６２ａは、周面及びその両側縁と排気パネル６２の内面及び外面との境界部に垂直またはそれに近い角度の面が無く、この排気孔６２ａからの排気流が図５に矢線で示したようにほとんど渦を生じることなく排気されるため、前記排気孔６２ａからの排気流に渦が生じるのを略完全に防ぐことができる。
【０１２３】
したがって、上記実施例のプロジェクタによれば、前記排気部６０をプロジェクタケース１外に突き出させることによる排気流の渦発生防止効果と、前記排気孔６２ａの周面及びその両側縁と排気パネル６２の内面及び外面との境界部を排気流方向に対して垂直またはそれに近い角度の面の無い形状にしたことによる排気流の渦発生防止効果との両方により、プロジェクタケース１内をさらに効果的に空冷するとともに、前記排気部６２での風切り音をさらに低減ずることができる。
【０１２４】
なお、上記実施例では、前記排気パネル６２の複数の排気孔６２ａの周面を山形面状に形成しているが、前記複数の排気孔６２ａの周面は、山形面状に限らず、その奥行き方向の中央部から排気パネル６２の内面及び外面に向かって孔幅が大きくなる方向に湾曲または傾斜する形状、つまり排気孔６２ａの周面及びその両側縁と排気パネル６２の内面及び外面との境界部を、排気流方向に対して垂直またはそれに近い角度の面の無い形状にすることができる形状であればよい。
【０１２５】
図７はこの発明の第２の実施例を示す排気孔６２ａの断面図であり、この実施例は、排気パネル６２の隣り合う排気孔６２ａ間の部分の断面形状を、前記排気パネル６２の厚さ方向に長軸を有する横長の楕円形状にすることにより、複数の排気孔６２ａの周面を、その奥行き方向の中央部から前記排気パネル６２の内面及び外面に向かって孔幅が大きくなる方向に湾曲する円弧面状に形成し、前記排気孔６２ａの周面及びその両側縁と排気パネル６２の内面及び外面との境界部を、排気流方向に対して垂直またはそれに近い角度の面が無く、しかも前記排気パネル６２の内面側から外面側にわたって流線面状に連続する形状に形状にしたものである。
【０１２６】
また、図８はこの発明の第３の実施例を示す排気孔６２ａの断面図であり、この実施例は、排気パネル６２の隣り合う排気孔６２ａ間の部分の断面形状を、排気パネル６２の厚さ方向の中央部付近から外面側の部分が前記外面に向かって厚さが薄くなる楔状で、前記中央部付近から内面側の部分が前記楔状部と連続する半円形である形状にすることにより、複数の排気孔６２ａの周面を、排気パネル６２の内面側の部分が外膨らみの円弧状をなし、その円弧状部から前記排気パネル６２の外面方向に向かって孔幅が大きくなる方向に傾斜する翼面状に形成し、前記排気孔６２ａの周面及びその両側縁と排気パネル６２の内面及び外面との境界部を、排気流方向に対して垂直またはそれに近い角度の面が無く、しかも前記排気パネル６２の内面側から外面側にわたって流線面状に連続する形状に形状にしたものである。
【０１２７】
さらに、図９はこの発明の第４の実施例を示す排気孔６２ａの断面図であり、この実施例は、長孔からなる前記排気孔６２ａの周面のうち、前記排気孔６２ａの長さ方向に沿った２つの面をそれぞれ、前記図８に示した第３の実施例の翼面形状を前記排気パネル６２の外面方向に向かって前記排気孔６２ａの長さ方向と直交する一方の方向に方向に跳ね上がるように傾斜させた形状に形成し、前記排気孔６２ａの周面及びその両側縁と排気パネル６２の内面及び外面との境界部を、排気流方向に対して垂直またはそれに近い角度の面が無く、しかも前記排気パネル６２の内面側から外面側にわたって流線面状に連続する形状に形状するとともに、前記排気孔６２ａの長さ方向に沿った２つの周面を前記排気孔６２ａの長さ方向と直交する一方の方向に方向に傾斜させたものである。
【０１２８】
前記第２〜第４の実施例はいずれも、複数の排気孔６２ａの周面及びその両側縁と排気パネル６２の内面及び外面との境界部を、排気流方向に対して垂直またはそれに近い角度の面が無く、しかも前記排気パネル６２の内面側から外面側にわたって流線面状に連続するとともに、前記排気孔６２ａの長さ方向と直交する一方の方向に方向に傾斜する形状に状にしたものであるため、前記排気孔６２ａからの排気流に渦が生じるのを略完全に防ぎ、プロジェクタケース１内をさらに効果的に空冷するとともに、排気部６０での風切り音をほとんど無くすことができる。
【０１２９】
さらに、前記第４の実施例は、前記排気孔６２ａの長さ方向に沿った２つの周面を前記排気孔６２ａの長さ方向と直交する一方の方向に方向に傾斜させたものであるため、前記複数の排気孔６１からの排気を、前記長孔の長さ方向と直交する一方の方向に向けて放出することができる。
【０１３０】
この第４の実施例の排気孔６２ａを採用する場合は、前記排気パネル６２を、前記プロジェクタケース１の開口部６４に移動可能に嵌装された排気筒６１のケース外側の開口端に、脱着可能に、且つ前記排気孔６２ａの長さ方向と直交する方向の両側縁の向きを逆にして装着可能に設けるのが望ましく、このようにすることにより、前記排気孔６２ａから放出する排気の方向を、前記排気孔６２ａの長さ方向と直交する一方の方向と他方の方向とに任意に選択することができる。
【０１３１】
なお、上記実施例のプロジェクタでは、カラーホイール３０を、光源側光学系２９の導光ロッド３３の入射側に配置しているが、前記カラーホイール３０は、光源１７から前記投影レンズ４５の入射端までの光路内であれば、他の位置に配置してもよい。
【０１３２】
さらに、上記実施例のプロジェクタは、表示素子にマイクロミラー表示素子２８を用いたものであるが、表示素子は、入射光の出射を制御して画像を表示するものであれば、例えば後面側に反射膜を備えた反射型液晶表示素子でも、また後面側から入射した光の前面側への出射を制御して表示する透過型液晶表示素子でもよく、反射型液晶表示素子を用いる場合は、その正面方向に対して一方の方向に傾いた入射方向から入射し、液晶層を透過して前記反射膜により反射された光を、プリズムシート等により屈折させて正面方向に出射する構成とし、透過型液晶表示素子を用いる場合は、光源１７の配置位置と光源側光学系２９の構成を、前記透過型液晶表示素子にその後面から光を投射するように変更すればよい。
【０１３３】
また、表示素子に液晶表示素子を用いる場合、その液晶表示素子は、複数の画素にそれぞれ対応する複数の色、例えば赤、緑、青の３色のカラーフィルタを備えたカラー表示素子でもよく、このカラー表示素子を用いる場合は、光源側光学系２９からカラーホイール３０を省略し、白色光を前記カラー表示素子に投射するようにすればよい。
【図面の簡単な説明】
【０１３４】
【図１】この発明の第１の実施例を示すプロジェクタの使用状態の外観斜視図。
【図２】前記プロジェクタの不使用状態の外観斜視図。
【図３】前記プロジェクタの横断平面図。
【図４】図３のIV―IV線に沿う断面図。
【図５】前記プロジェクタの排気部の排気孔の拡大断面図。
【図６】周面を排気パネルの板面に垂直な直線面に形成した比較例の排気孔の断面図。
【図７】この発明の第２の実施例を示す排気孔の断面図。
【図８】この発明の第３の実施例を示す排気孔の断面図。
【図９】この発明の第４の実施例を示す排気孔の断面図。
【符号の説明】
【０１３５】
１…プロジェクタケース、１７…光源、２８…マイクロミラー表示素子、２９…光源側光学系、３０…カラーホイール、３３…導光ロッド、３４，３５…光源側レンズ、３７…ミラー、４３…カバーガラス、４４…中継レンズ、４５…投影レンズ、５５，５６，５７…吸気部、５５ａ，５６ａ，５７ａ…吸気部孔、５８，５９…吸気ファン、６０…排気部６１…排気筒、６２…排気パネル、６２ａ…排気孔、６４…開口部、６７，６８，６９…排気ファン、７０…排気部の突き出し検知器。
【図１】
2005234424.tif 000003
【図２】
2005234424.tif 000004
【図３】
2005234424.tif 000005
【図４】
2005234424.tif 000006
【図５】
2005234424.tif 000007
【図６】
2005234424.tif 000008
【図７】
2005234424.tif 000009
【図８】
2005234424.tif 000010
【図９】
2005234424.tif 000011